(57)【要約】無線通信システム（１００）は、基盤（１０４）と通信する移動局（ＭＳ）（１０２）を備え、基盤（１０４）は複数の無線周波数（ＲＦ）帯域クラスをサポートする。基盤が複数のＲＦ帯域の第一無線周波数（ＲＦ）帯域を介して、ＭＳからの呼の開始要求を受け取ると（２０４）、基盤は、第一ＲＦ帯域以外のＲＦ帯域にＭＳを割り当てることを試みるか否か（２０８）を判定する。別のＲＦ帯域にＭＳを割り当てることを試みると判定したことに応じて、基盤は別の呼処理を実行する前に、基盤によって保持されたＲＦトラフィックチャネル決定関連データを取得し（２１４）、そのＲＦトラフィックチャネル決定関連データに基づいて、ＭＳが帯域間切替え可能か否かを判定する（２２４）。ＭＳが帯域間切替え可能な場合、基盤は複数のＲＦ帯域の第二ＲＦ帯域にＭＳを切り替える（２２８）。
2007531475.tif 000002
【特許請求の範囲】
【請求項１】
複数の無線周波数（ＲＦ）帯域をサポートする基盤と通信する移動局を備える無線通信システムにおいて、前記移動局が前記基盤を介した呼を開始する処理に関わる際に、前記移動局にＲＦ帯域を割り当てる方法であって、
前記複数のＲＦ帯域の第一ＲＦ帯域を介して、前記移動局から呼を開始する要求を受信すること、
前記第一ＲＦ帯域以外の前記複数のＲＦ帯域のＲＦ帯域に前記移動局を割り当てることを試みるか否かを判定すること、
前記第一ＲＦ帯域以外のＲＦ帯域に前記移動局を割り当てることを試みると判定したことに応じて、前記基盤により保持された前記移動局のプロファイルから、無線周波数トラフィックチャネル決定関連データのみを取得すること、
前記無線周波数トラフィックチャネル決定関連データに基づいて、前記移動局が帯域間切替え可能か否かを判定すること、
を備える方法。
【請求項２】
請求項１記載の方法において、
前記移動局が帯域間切替え可能か否かを判定することは、
前記移動局が複数帯域移動局であるか否かを判定すること、
前記移動局が前記基盤と同じ第二無線周波数（ＲＦ）帯域をサポートしているか否かを判定すること、
前記移動局を前記第二ＲＦ帯域に切替え可能か否かを判定すること、を含み、
当該方法はさらに、
前記移動局が帯域間切替え可能であると判定したことに応じて、前記移動局に前記第二ＲＦ帯域に切り替えるように指示すること、
を備える、方法。
【請求項３】
請求項１記載の方法において、
前記基盤により保持された前記移動局のプロファイルから、無線周波数トラフィックチャネル決定関連データを取得することは、
前記基地局が、前記移動局に関連した無線周波数トラフィックチャネル決定関連データを、関連する制御部に要求すること、
前記制御部が、前記要求を受信したことに応じて、該要求された無線周波数トラフィックチャネル決定関連データを取得すること、
前記制御部が、他の呼処理を実行する前に、前記取得した無線周波数トラフィックチャネル決定関連データを前記基地局に伝えること、
を含む、方法。
【請求項４】
請求項３記載の方法において、
前記他の呼処理を実行する前に、前記取得した無線周波数トラフィックチャネル決定関連データを伝えることは、前記呼に地上回線を割り当てることと、課金記録を開始することとのいずれか一方または双方を行う前に、前記取得した無線周波数トラフィックチャネル決定関連データを伝えることを含む、方法。
【請求項５】
請求項３記載の方法において、
前記他の呼処理を実行する前に、前記取得した無線周波数トラフィックチャネル決定関連データを伝えることは、
前記取得した無線周波数トラフィックチャネル決定関連データを伝えること、
前記移動局が帯域間切替え可能であるか否かを判定すること、
前記移動局が帯域間切替え可能な場合、別の認証及び確認動作を停止すること、
を含む、方法。
【請求項６】
移動局が基盤との接続を開始する処理に関わる際に、前記移動局に無線周波数（ＲＦ）帯域を割り当てる装置であって、
第一無線周波数（ＲＦ）帯域を介して前記移動局から呼開始要求を受信する基地局であって、前記呼開始要求を受信したことに応じて、前記第一ＲＦ帯域以外のＲＦ帯域に前記移動局を割り当てることを試みるか否かを判定し、前記第一ＲＦ帯域以外のＲＦ帯域に前記移動局を割り当てると判定したことに応じて、前記移動局に関連した基盤保持ＲＦトラフィックチャネル決定関連データを要求し、該要求に応じて、前記移動局のプロファイル内に格納された他の情報を受信することなく前記基盤保持ＲＦトラフィックチャネル決定関連データを受信し、前記ＲＦトラフィックチャネル決定関連データに基づいて前記移動局が帯域間切替え可能か否かを判定し、前記移動局が帯域間切替え可能であると判定したことに応じて、他の呼処理を実行する前に、前記移動局に前記第二ＲＦ帯域に切り替えるように指示する基地局を備える装置。
【請求項７】
請求項６記載の装置において、
前記基地局は、前記移動局が複数帯域移動局であるか否かを判定し、前記移動局が前記基盤と同じ第二無線周波数（ＲＦ）帯域をサポートしているか否かを判定し、前記移動局を前記第二ＲＦ帯域に切替え可能か否かを判定することによって、前記移動局が帯域間切替え可能か否かを判定する、装置。
【請求項８】
請求項６記載の装置はさらに、
前記基地局に接続され、前記無線周波数トラフィックチャネル決定関連データの要求を受信する呼制御部であって、該要求を受信したことに応じて、前記移動局に関連した基盤保持無線周波数トラフィックチャネル決定関連データを取得し、他の呼処理を実行する前に、前記取得した無線周波数トラフィックチャネル決定関連データを前記基地局に伝える呼制御部を備える、装置。
【請求項９】
請求項８記載の装置において、
前記他の呼処理は、地上回線を呼に割り当てることと、課金記録を開始することとのいずれか一方または双方を含む、装置。
【請求項１０】
請求項８記載の装置において、
前記呼制御部は、前記取得した無線周波数トラフィックチャネル決定関連データを前記基地局に伝え、前記移動局が帯域間切替え可能か否かを判定し、前記移動局が帯域間切替え可能な場合に、別の認証及び確認動作を停止することによって、前記他の呼処理を実行する前に、前記取得した無線周波数トラフィックチャネル決定関連データを前記基地局に伝える、装置。
【請求項１１】
請求項８記載の装置はさらに、
前記移動局のプロファイルを保持する移動位置提供データベースであって、前記プロファイルが無線周波数トラフィックチャネル決定関連データを含み、前記呼制御部が前記移動位置提供データベースから前記無線周波数トラフィックチャネル決定関連データをダウンロードする、移動位置提供データベースを備える、装置。
【請求項１２】
呼制御部であって、
サービス要求を受信し、前記サービス要求が移動局に関連した基盤保持無線周波数トラフィックチャネル決定関連データの要求を含むと判定し、前記サービス要求が基盤保持無線周波数トラフィックチャネル決定関連データを含むと判定したことに応じて、前記移動局のプロファイルの一部であって、該一部が前記移動局に関連した前記無線周波数トラフィックチャネル決定関連データを含む、前記移動局のプロファイルの一部のみを取得し、別の呼処理を実行する前に、前記取得した無線周波数トラフィックチャネル決定関連データを前記基地局に伝える呼制御部。
【請求項１３】
請求項１２記載の呼制御部はさらに、
前記無線周波数トラフィックチャネル決定関連データに基づいて、前記移動局が帯域間切替え可能か否かを判定し、前記移動局が帯域間切替え可能であると判定したことに応じて、別の呼処理の実行を停止する、呼制御部。
【発明の詳細な説明】
【技術分野】
【０００１】
本発明は一般にセルラ通信システムに関し、特に、複数の帯域をサポートするセルラ通信システムに関する。
【背景技術】
【０００２】
ｃｄｍａ２０００通信システム内で動作する移動局（ＭＳ）が呼を配置するために、８００メガヘルツ（ＭＨｚ）等の第一無線周波数（ＲＦ）帯域を介して、無線基盤、特に無線基盤内に含まれる基地局（ＢＳ）との呼を開始しようとする際、ＢＳはＭＳのＲＦ性能を認識していない。ＭＳがサポートするＲＦ帯域等のＭＳの性能や、ＭＳに関連した国際移動加入者識別（ＩＭＳＩ）等のＭＳ識別子（移動ＩＤ）、およびＭＳが利用するサービスのリストは、無線基盤内の他の場所に配置したホームロケーションレジスタ（ＨＬＲ）内のＭＳのプロファイルに一般に格納されている。
【０００３】
ＭＳからの呼開始要求の受信に応じて、ＢＳは第一ＲＦ帯域が混雑しているかどうか、例えば、第一ＲＦ帯域の内のトラフィックチャネルが利用可能であるかどうか、ＲＦ帯域が最大電力負荷、もしくはその近傍で動作しているかどうか、またはウォルシュコード（Walsh Code）を使い切っているかどうかを決定する。第一ＲＦ帯域が混雑していない場合、ＢＳは利用可能なトラフィックチャネルをＭＳに割り当てる。トラフィックチャネルの割り当てと同時に、ＢＳは、ＭＳの認証と確認を要求するＢＳにサービスを提供する移動通信交換局（ＭＳＣ）に、Ａ１メッセージ、一般にＡ１＿ＣＭサービス要求メッセージを伝える。開始要求の受信に応じて、そのプロファイルがＭＳＣに関連したビジタロケーションレジスタ（ＶＬＲ）内にまだ格納されていない場合、ＭＳＣはＨＬＲからＭＳのプロファイル全体をダウンロードし、ダウンロードしたプロファイルを関連のＶＬＲに格納する。その後、ＭＳＣは、ダウンロードしたファイルに基づいて、ＭＳを確認および認証し、呼を続行するか破棄するかをＢＳに通知する。
【発明の開示】
【発明が解決しようとする課題】
【０００４】
第一ＲＦ帯域が混雑している場合、ＢＳはＭＳのアクセス試行を終了し、呼を開放する。このような場合、ＢＳは決してＭＳＣと通信しない。さらに、ＢＳがＭＳＣに接触し、ＭＳＣがＭＳのプロファイルをダウンロードして呼を続行するかどうかをＢＳに知らせるのをＢＳが待機する処理は、多大な時間を消費し、システム操作者にとって許容できない呼の配置遅延をもたらす。ＭＳが単一帯域のＭＳの場合、ＭＳの使用者は後で通信システムへのアクセスを再試行しなければならない。ＭＳが複数のＲＦ帯域で動作可能な複数帯域ＭＳであれば、ＭＳは、２．１ギガヘルツ（ＧＨｚ）帯域や１．９ＧＨｚ帯域等の第二ＲＦ帯域を介して、通信システムのアクセス試行を開始できる。しかし、第二ＲＦ帯域でのアクセス試行を再開するように複数帯域ＭＳに要求することは時間がかかり、このようなＭＳの使用者にとって妨げとなる。
【０００５】
従って、ＭＳのＲＦ帯域性能を決定し、最初の呼の開始を試行する際の遅延を最小にするとともに、アクセスしたＲＦ帯域が混雑している場合、異なるＲＦ帯域に複数帯域ＭＳを切替える方法および装置が必要とされている。
【課題を解決するための手段】
【０００６】
最小の遅延で、移動局（ＭＳ）の開始時の無線周波数（ＲＦ）帯域性能を決定し、従来技術のシステム容量の消費および呼配置の遅延なしで、異なるＲＦ帯域にＭＳを割り当てる方法および装置の必要性に対処するために、複数の無線周波数（ＲＦ）帯域クラスをサポートする基盤と通信する移動局を備えた無線通信システムが提供される。基盤は、複数のＲＦ帯域の第一無線周波数（ＲＦ）帯域を介して移動局から呼の開始要求を受信すると、第一ＲＦ帯域以外のＲＦ帯域に移動局を割り当てることを試みるか否かを判定する。第一ＲＦ帯域以外のＲＦ帯域に移動局を割り当てると判定したことに応じて、基盤は、別の呼処理を実行する前に、基盤によって保持されたＲＦトラフィックチャネル決定関連データを取得し、ＲＦトラフィックチャネル決定関連データに基づいて、移動局が帯域間切替え可能か否かを決定する。移動局が帯域間切替え可能な場合、基盤は複数のＲＦ帯域の第二ＲＦ帯域に移動局を切り替える。
【０００７】
概して、本発明の一実施例は、複数の無線周波数（ＲＦ）帯域をサポートする基盤を介して、移動局が呼の開始処理に関与している場合、移動局にＲＦ帯域を割り当てる方法を含んでいる。その方法は、複数の帯域の第一ＲＦ帯域を介して、移動局から呼の開始要求を受信すること、第一ＲＦ帯域以外のＲＦ帯域に移動局を割り当てることを試みるか否かを判定することを含んでいる。その方法はさらに、第一ＲＦ帯域以外のＲＦ帯域に移動局を割り当てることを試みると判定したことに応じて、基盤によって保持された無線周波数トラフィックチャネル決定関連データを取得し、該無線周波数トラフィックチャネル決定関連データに基づいて、移動局が帯域間切替え可能か否かを判定することを含んでいる。
【０００８】
本発明の別の実施例は、移動局が基盤との接続を開始する処理に関わる際に、移動局にＲＦ帯域を割り当てる装置を含んでいる。その装置は、第一無線周波数（ＲＦ）帯域を介して移動局による呼の開始要求を受信し、その呼開始要求の受信に応じて、第一ＲＦ帯域以外のＲＦ帯域に移動局を割り当てることを試みるか否かを判定する基地局を含む。第一ＲＦ帯域以外のＲＦ帯域に移動局を割り当てると判定したことに応じて、基地局は移動局に関連した基盤保持ＲＦトラフィックチャネル決定関連データを要求し、その要求に応じて基盤保持ＲＦトラフィックチャネル決定関連データを受信する。ＲＦトラフィックチャネル決定関連データに基づいて、基地局は移動局が帯域間切替え可能か否かを判定し、移動局が帯域間切替え可能であると判定したことに応じて、他の呼処理を実行する前に、移動局に第二ＲＦ帯域に切り替えるように命令する。
【０００９】
本発明のさらに別の実施例は呼制御部を含み、前記呼制御部はサービス要求を受信し、そのサービス要求が移動局に関連した基盤保持無線周波数トラフィックチャネル決定関連データの要求を含むか否かを判定し、サービス要求が基盤保持無線周波数トラフィックチャネル決定関連データを含むと判定したことに応じて、移動局のプロファイルの一部であって、前記一部が移動局に関連した無線周波数トラフィックチャネル決定関連データを含む、プロファイルの一部のみを取得し、呼処理を実行する前に、取得した無線周波数トラフィックチャネル決定関連データを基地局に伝える。
【発明を実施するための最良の形態】
【００１０】
本発明を、図１〜２Ｂを参照しながら、さらに詳しく説明する。図１は、本発明の一実施例による無線通信システム１００のブロック図である。通信システム１００は、携帯電話、無線電話、またはモデムに接続されたデータ端末装置用の無線インタフェースを提供する無線モデム等を含むがそれらに限定されない少なくとも一つの移動局（ＭＳ）１０２を含む。ＭＳ１０２は、複数の無線周波数（ＲＦ）帯域で動作、つまりサポートでき、前記複数のＲＦ帯域は通信システム１００の基盤１０４によってもサポートされる。ＭＳのＲＦ帯域性能は、ＭＳのメモリ内に保持される。通信システム１００はさらに無線基盤１０４を含み、無線基盤１０４は呼制御部１３０、好ましくは移動通信交換局（ＭＳＣ）に、好ましくはＡ１インタフェースを介して接続された少なくとも一つの基地局（ＢＳ）１０６を含む。同様に、呼制御部１３０はさらに、ホームロケーションレジスタ（ＨＬＲ）等の移動位置提供データベース１４０に接続されている。
【００１１】
ＢＳ１０６は少なくとも一つの基地送受信局（ＢＴＳ）１１０を含み、ＢＴＳ１１０は一般に基地局制御部及び／又は集中型基地局制御部（ＢＳＣ／ＣＢＳＣ）等の制御部１２０に接続されている。制御部１２０は、ＢＴＳ１１０の動作、およびＢＳ１０６の他の任意のＢＴＳとのＢＴＳによる通信を制御および管理する。ＢＳ１０６は、ＢＳがサービスを提供するカバーエリア内に配置されたＭＳ１０２等の移動局に、例えば、８００メガヘルツ（ＭＨｚ）帯域または１．９ギガヘルツ（ＧＨｚ）帯域等の少なくとも一つのＲＦ帯域で通信サービスを提供可能である。呼制御部１３０は、システム１００内の呼を経路指定し、呼制御部がサービスを提供するＢＳ１０６等のＢＳの認証および確認サポートを提供する。呼制御部１３０は、ビジタロケーションレジスタ（ＶＬＲ）等の局所的移動位置提供データベース１３６を含むが、この発明の別の実施例では、移動位置提供データベース１３６は呼制御部１３０の外部にあって、それと通信することもできる。
【００１２】
ＢＴＳ１１０、制御部１２０、および呼制御部１３０の各々は、一つ以上のマイクロプロセッサ、マイクロコントローラ、デジタル信号プロセッサ（ＤＳＰ）、それらの組合せ、または当業者には既知の他の装置等の個別のプロセッサ１１２、１２２、１３２を含む。ＢＴＳ１１０、制御部１２０、および呼制御部１３０の各々はさらに、ランダムアクセスメモリ（ＲＡＭ）、動的ランダムアクセスメモリ（ＤＲＡＭ）、及び／又はリードオンリーメモリ（ＲＯＭ）あるいはそれらの等価物といった、各プロセッサに関連する個別の一つ以上のメモリ装置１１４、１２４、１３４を含む。該メモリ装置は、プロセッサによって実行されるプログラム、アプリケーション、および動作プロトコル等のプログラムやソフトウェアを格納し、システム１００内のＭＳ、ＢＳ、制御部、または呼制御部を機能させる。制御部１２０と呼制御部１３０の一つ以上のメモリ素子１２４，１３４の各々はさらに、基盤１０４によってサポート可能なＲＦ帯域に関する情報を格納する。本明細書では他に明記しない限り、ＢＴＳ１１０、制御部１２０、および呼制御部１３０の各々によって実行される機能は、ＢＴＳ、制御部、および呼制御部の各プロセッサ１１２、１２２、および１３２によって実行される。
【００１３】
移動位置提供データベース１４０は、システム１００の操作者によって提供される通信サービスに加入したＭＳ１０２等の各ＭＳのプロファイルを保持する。このような各ＭＳのプロファイルは、ＭＳに関連する国際移動加入者識別（ＩＭＳＩ）等のＭＳ識別子（移動ＩＤ）、ＭＳによってサポートされるＲＦ帯域、および、呼転送や、ショートメッセージサービス（ＳＭＳ）や、呼識別子（呼び出し側ＩＤ）や、帯域間呼切替えサービス等の通信システム１００によって提供される加入サービスであって、ＭＳによって利用される加入サービスを含んでいる。データベース１４０はさらに、このような各ＭＳに対する提供および移動情報を保持および追跡し、通信システム１００内でＭＳを起動する際のＭＳの登録や、ＢＳがサービスを提供するＭＳの位置等を含んでいる。ＭＳ１０２等のＭＳが、呼制御部１３０がサービスを提供するカバーエリア内で呼を開始しようとすると、呼制御部はＭＳにサービスを提供するＢＳからの要求に応答して、遠隔移動位置提供データベース１４０からＭＳのプロファイルを取得し、局所的移動位置提供データベース１３６内にＭＳのプロファイルを格納する。この発明の別の実施例では、呼制御部１３０がサービスを提供するＭＳのプロファイルは、移動位置提供データベース１３６内に局所的に格納することもできる。このような実施例では、ＭＳが呼を開始しようとすると、呼制御部１３０は、ＭＳにサービスを提供するＢＳからの要求に応答して、データベース１３６からＭＳのプロファイルを取得する。
【００１４】
ＢＳ１０６によってサポートされる各ＲＦ帯域は、通信システム１００の順方向リンク１５０等の順方向リンクと、逆方向リンク１５２等の逆方向リンクとに関連する。各順方向リンクは複数のＲＦ帯域の一つに関連して動作し、順方向共通信号チャネルと順方向トラフィックチャネルとを含む。各逆方向リンク１５２も複数のＲＦ帯域の一つに関連して動作し、逆方向共通信号チャネルと逆方向トラフィックチャネルとを含む。
【００１５】
通信システム１００は、複数のＲＦ帯域をサポートする無線通信システムを備える。ＭＳ１０２が基盤１０４に接続された外部ネットワーク（図示せず）との接続を確立できるように、ＢＳ１０６は既知の無線通信プロトコルに従って動作する。既知のプロトコルに従って動作することによって、ＭＳ１０２の使用者は、ＭＳ１０２が基盤１０４と通信し、基盤を介して外部ネットワークと通信リンクを確立できることを保証される。好ましくは、通信システム１００は、３ＧＰＰ２およびＴＩＡ／ＥＩＡ（通信工業協会／電子工業協会）ＩＳ−９５Ｂ、ＩＳ−２０００、ＩＳ−２０００−Ａ、ＩＳ−２０００−Ｂ、ＩＳ−２０００−Ｃ、ＩＳ−２０００−Ｄ、およびＩＳ−２００１−Ｃ（ｖ１．０）規格の少なくとも一つに従って動作し、それらはＩＳ−２００１無線インタフェースを含むＣＤＭＡ（符号分割多重接続）およびｃｄｍａ２０００通信システム用の互換規格を提供する。この規格は、無線システムパラメータと呼処理手続きを含む無線通信システム動作プロトコルを規定する。しかし、当業者には明らかなように、通信システム１００は、移動通信用グローバルシステム（ＧＳＭ）通信システム、時分割多重接続（ＴＤＭＡ）通信システム、周波数分割多重接続（ＦＤＭＡ）通信システム、または直交周波数分割多重接続（ＯＦＤＭ）通信システム等の種々の無線通信システムのいずれか一つに従って動作することもできる。
【００１６】
通信システム１００において、ＭＳ１０２が第一ＲＦ帯域に関連した逆方向リンク１５２内の逆方向共通信号チャネルを介して基盤１０４との呼を開始し、その帯域が混雑しているか、もしくはＭＳへの割り当てを利用できない場合、基盤１０４は呼処理をさらに実行する前に、ＭＳを別のＲＦ帯域に割り当て可能かどうかを決定する。ＭＳ１０２が帯域間切替え可能な場合、つまり、ＭＳ１０２が別のＲＦ帯域をサポートしていて、そのようなＲＦ帯域への切替えが可能であり、そのＲＦ帯域も基盤１０４によってサポートされている場合、基盤はさらに呼処理を実行する前に、別のＲＦ帯域に関連した逆方向リンク内の逆方向信号チャネルにＭＳを切り替える。その結果、ＭＳ１０２は、第一ＲＦ帯域が混雑している場合、第二ＲＦ帯域内で新しいアクセス試行を自律的に開始する必要はなく、第一ＲＦ帯域が混雑している場合の呼配置時間を最小にし、さらに複数帯域ＭＳの全機能の利用に関する使用者の不満を最小にする。
【００１７】
図２Ａと２Ｂは、本発明の一実施例に従って、ＭＳによる呼の開始を試行中、ＭＳ１０２にＲＦ帯域を割り当てる際、通信システム１００によって実行されるステップの論理フロー図２００を示している。論理フロー図２００は、ＢＳ１０６、特にＢＴＳ１１０が、第一ＲＦ帯域に関連した逆方向リンク１５２内の逆方向共通信号チャネルを介して、ＭＳ１０２から呼を開始する要求、好ましくは開始要求を受信する（２０４）ことで始まる（２０２）。その要求は、ＭＳに関連した移動ＩＤを含んでいる。呼開始要求の受信に応じて、ＢＳ１０６、特にＢＴＳ１１０または制御部１２０は、ＭＳ１０２への第一ＲＦ帯域に関連したトラフィックチャネルの割り当てに関し、予備トラフィック割り当てを決定する（２０６）。さらに、呼開始要求の受信に応じて、ＢＳ１０６、特にＢＴＳ１１０または制御部１２０は、別の第二ＲＦ帯域、つまり、ＭＳによってアクセスされる第一ＲＦ帯域以外のＲＦ帯域に、ＭＳ１０２を切り替えることを試みるかどうかを判定する（２０８）。
【００１８】
例えば、ＭＳ１０２がアクセスしているＲＦ帯域が混雑している、例えば、その順方向リンク１５０が混雑している場合、ＢＳ１０６は別のＲＦ帯域にＭＳ１０２を切り替えるように試行することを決定し得る。別の例では、ＢＳ１０６は、緊急通信用の現在のＲＦ帯域を開放するために、別のＲＦ帯域にＭＳ１０２を切り替えるように試行することを決定し得る。当業者には明らかなように、本発明の思想と範囲から逸脱することなく、ＭＳが現在アクセスしているＲＦ帯域以外のＲＦ帯域にＭＳ１０２を切り替える種々の理由が存在する。
【００１９】
ＢＳ１０６が別の第二ＲＦ帯域にＭＳ１０２を切り替えることを試行しないと判定すると（２０８）、ＢＳ、特に制御部１２０は、ＭＳ１０２用のサービスを要求し、ＭＳに関連した移動ＩＤを提供する呼制御部１３０に、Ａ１＿ＣＭサービス要求等のサービス要求を伝える。そのサービス要求の受信に応じて、呼制御部１３０は通常の呼処理ステップを実行する（２１０）。この通常の呼処理ステップは、呼に対する地上回線の割り当て、ＭＳから受信した要求に含まれる移動ＩＤに基づくＭＳ１０２の認証と確認、および、呼に関連した課金記録の開始を含んでいる。ＭＳ１０２の認証と確認処理の一部として、呼制御部１３０は遠隔移動位置提供データベース１４０からＭＳ１０２のプロファイル全体をダウンロードし、移動位置提供データベース１３６内にそのプロファイルを局所的に格納する。本発明の別の実施例では、ＭＳ１０２のプロファイルは移動位置提供データベース１３６内に保持され、呼制御部１３０はデータベース１３６からＭＳのプロファイルを取得する。その後、呼制御部は一般にＢＳにＡ１割り当て要求を伝えることによって、回線が割り当てられ、ＭＳ１０２が認証されたことをＢＳ１０６に通知する。ＭＳ１０２の認証と地上回線の割り当ての通知に応答して、ＢＳ１０６、特にＢＴＳ１１０または制御部１２０はＭＳ１０２へのトラフィックチャネルの割り当てを完了し（２１２）、従来からよく知られているように呼は続行する。その後、論理フロー２００は終了する（２３２）。
【００２０】
ＢＳ１０６が第二ＲＦ帯域にＭＳ１０２を切り替えることを試行すると判定すると（２０８）、ＢＳ、特にＢＴＳ１１０または制御部１２０は、呼制御部１３０に、変更されたサービス要求を伝える。このサービス要求は、ＭＳに関連した基盤保持無線周波数（ＲＦ）トラフィックチャネル決定関連加入者データの要求（２１４）を含むように変更されている。例えば、ＢＳ１０６は、呼制御部１３０に伝えるサービス要求内にこのような要求を含めることによって、ＲＦトラフィックチャネル決定関連加入者データを要求することができる。例えば、ＢＳ１０６は、呼制御部１３０にＡ１＿ＣＭサービス要求の変更版を伝えることができる。このＡ１＿ＣＭサービス要求は、ＲＦトラフィックチャネル決定関連加入者データの要求を含むように変更されている。
【００２１】
ＲＦトラフィックチャネル決定関連加入者データは、ＭＳによってアクセスされたＲＦ帯域以外のＲＦ帯域にＭＳ１０２を割り当て可能かどうかをＢＳ１０６が決定できるようにするデータを含む。例えば、トラフィックチャネル決定関連加入者データは、ＭＳ１０２のＲＦ帯域性能を含むことができる。別の例では、通信システム１００が、例えばＭＳによって最初にアクセスされた混雑しているＲＦ帯域から別の混雑していないＲＦ帯域への呼の自動切替えが可能な呼切替えサービスを含む加入パッケージ等のような、システム加入者用の異なる加入パッケージを含む場合、トラフィックチャネル決定関連加入者データは、ＭＳの使用者が加入するこのような任意の加入パッケージに関する情報を含むことができる。
【００２２】
変更されたサービス要求を受信し、且つその要求がトラフィックチャネル決定関連加入者データの要求を含むものであると判定したことに応じて、呼制御部１３０は優先応答手続きを実行する。つまり、呼制御部１３０は、基盤１０４、特に移動位置提供データベース１３６または移動位置提供データベース１４０内に保持されたＭＳ１０２のプロファイルから、トラフィックチャネル決定関連加入者データを取得する（２１６）。本発明の一実施例では、ＭＳ１０２のプロファイルは移動位置提供データベース１４０内に保持され、呼制御部１３０はデータベース１４０からＭＳのプロファイルをダウンロードする。このプロファイルは、ＭＳに関連したトラフィックチャネル決定関連加入者データを含んでいる。その後、呼制御部１３０はダウンロードしたプロファイルを移動位置提供データベース１３６内に格納し、該データベース１３６から、関連するトラフィックチャネル決定関連加入者データを含むプロファイルの一部のみを取得する。本発明の別の実施例では、ＭＳ１０２のプロファイルは移動位置提供データベース１３６内に保持され、呼制御部１３０はＭＳのプロファイルの一部のみをデータベース１３６から取得する。この一部は、トラフィックチャネル決定関連加入者データを含み、ＭＳのプロファイル全体よりも小さい。
【００２３】
その後、呼制御部１３０は、地上回線の割り当て、課金記録の開始、別の認証／確認等の他の呼処理を実行する前に、ダウンロードまたは取得されたトラフィックチャネル決定関連加入者データをＢＳ１０６に伝える（２１８）。例えば、呼制御部１３０は、Ａ１割り当て要求メッセージの変更版を介して、トラフィックチャネル決定関連加入者データをＢＳ１０６に伝えることができる。このＡ１割り当て要求メッセージは、トラフィックチャネル決定関連加入者データを含むように変更されている。さらに、ダウンロードまたは取得されたトラフィックチャネル決定関連加入者データに基づいて、呼制御部１３０はＭＳ１０２が帯域間切替え可能かどうか、つまり、ＭＳ１０２が二重帯域ＭＳであるかどうか、別のＲＦ帯域にＭＳ１０２を割り当て可能かどうか、および、ＭＳが基盤１０４の目標ＲＦ帯域への帯域間切替えをサポートしているかどうかを判定する（２２０）。ＭＳが帯域間切替え可能な場合、つまり、ＭＳを別のＲＦ帯域に割り当て可能で、該ＭＳが基盤１０４の目標ＲＦ帯域への帯域間切替えをサポートしている場合、呼制御部１３０は地上回線の割り当て、課金記録の開始、ＭＳ１０２の別の認証および確認等の他の全ての呼処理の実行を停止する（２２２）。
【００２４】
ＲＦトラフィックチャネル決定関連加入者データに基づいて、ＢＳ１０６、特にＢＴＳ１１０または制御部１２０も、ＭＳ１０２が帯域間切替え可能かどうか、つまり、ＭＳが第二ＲＦ帯域をサポートし、基盤１０４によってもサポートされ、このような帯域へ切替え可能な二重帯域ＭＳであるかどうかを判定する（２２４）。ＢＳ１０６がＭＳ１０２の帯域間切替えが不可能であると判定した場合、ＢＳ１０６、特にＢＴＳ１１０は適宜に呼を破棄し（２２６）、ＭＳのアクセス試行を終了することができる。例えば、ＭＳ１０２が第二ＲＦ帯域をサポートしていなくてもよく、ＭＳ１０２によってサポートされた他のＲＦ帯域が基盤１０４によってサポートされていなくてもよく、ＭＳ１０２、より詳細にはＭＳ１０２の使用者が、ＭＳによって最初にアクセスされたＲＦ帯域から別のＲＦ帯域にＭＳを切替え可能な加入パッケージに加入していなくてもよい。
【００２５】
ＢＳ１０６が、ＭＳ１０２が帯域間切替え可能であると判定した場合、ＢＳ１０６、特にＢＴＳ１１０または制御部１２０は、ＭＳに切替えメッセージを伝えることによって、第二ＲＦ帯域にＭＳ１０２を切り替える（２２８）。例えば、ＢＳ１０６は、順方向リンク１５０の順方向共通信号チャネルを介して、拡張チャネル割り当てメッセージ（ＥＣＡＭ）をＭＳ１０２に伝え、第二ＲＦ帯域内のページング／アクセスチャネル等の信号チャネルにＭＳ１０２を割り当てることができる。ＥＣＡＭメッセージは従来から知られているが、ＴＩＡ／ＥＩＡ（通信工業協会／電子工業協会）ＩＳ−２０００．５−Ｃ規格で詳しく説明されている。切替えメッセージの受信に応じて、ＭＳ１０２は第二ＲＦ帯域で新しいアクセス試行を自動的に開始する（２３０）。例えば、ＢＳ１０６がさらに第二ＲＦ帯域をサポートしている場合、ＭＳ１０２は第二ＲＦ帯域を介して、新しい開始メッセージをＢＳ１０６に伝えることによって、新しいアクセス試行を開始できる。別の例では、ＢＳ１０６が第一ＲＦ帯域のみをサポートしている場合、ＭＳ１０２は第二ＲＦ帯域をサポートしている通信システム１００内の別のＢＳ（図示せず）に、新しい開始メッセージを伝えることによって新しいアクセス試行を開始できる。その後、論理フロー２００は終了する（２３２）。
【００２６】
基盤によって保持され、ＭＳ、つまり、別の呼処理を実行する前に呼を開始するＭＳ１０２に対応したＲＦトラフィックチャネル決定関連データを取得することによって、通信システム１００は優先切替え決定を提供する。呼制御部１３０は、別の呼処理の前に、ＭＳのプロファイル全体をさらに取得することなくデータベース１３６からデータを取得するので、ＲＦトラフィックチャネル決定関連データの取得が優先される。その結果、第一ＲＦ帯域が混雑しているとき、ＭＳの切替え機能を評価するために基盤に優先処理を設ける際、第二ＲＦ帯域へのＭＳの優先的、より高速の切替えとなる。さらに、ＭＳ１０２が帯域間切替え可能な複数帯域ＭＳであるとき、呼制御部１３０はＭＳによって開始された呼の別の処理を停止するので、システム資源が保たれる。
【００２７】
本発明をその特定の実施例を参照して具体的に示し説明したが、当業者には明らかなように、添付の特許請求の範囲に記載されているように、本発明の範囲から逸脱することなく種々の変更を行い、それらの要素を等価物と置換することができる。従って、本明細書および図面は限定的な意味ではなく例示的なものと見なされ、このような変更および置換の全ては本発明の範囲に含まれるものとする。
【００２８】
以上では、所定の実施例に関して利益、他の利点、および問題の解決策を説明した。しかし、利益、利点、問題の解決策、および任意の利益、利点、または解決策を発生または明らかにし得る任意の要素は、任意または全ての請求項において重要で必要不可欠な特徴または要素と解釈すべきではない。ここで用いたように「備える」「備えている」、またはそれらの任意の変形は、非排他的な包含を対象とするものとし、要素の列挙を含む処理、方法、部材、または装置は、それらの要素のみを含むのではなく、明示的に列挙されない、またはこのような処理、方法、部材、または装置に本質的な他の要素を含むことができる。さらに、本明細書で別に明示しない限り、第一および第二、上部および底部、および同様の関連用語の使用は（あるとすれば）、別の実体または作用からある実体または作用を区別するためだけに用いられ、このような実体または作用の間のこのような実際の関係または順序を必ずしも要求または暗示するものではない。
【図面の簡単な説明】
【００２９】
【図１】本発明の一実施例による無線通信システムのブロック図である。
【図２Ａ】本発明の一実施例に従って、移動局による呼の開始の試行中に図１の移動局に無線周波数帯域を割り当てる際に、図１の通信システムによって実行されるステップの論理フロー図である。
【図２Ｂ】本発明の一実施例に従って、移動局による呼の開始の試行中に図１の移動局に無線周波数帯域を割り当てる際に、図１の通信システムによって実行されるステップを示す図２Ａの論理フロー図の続きを示す図である。
【図１】
2007531475.tif 000003
【図２Ａ】
2007531475.tif 000004
【図２Ｂ】
2007531475.tif 000005
【国際調査報告】
2007531475.tif 000006